(57)【要約】      （修正有）【課題】効率性を向上させ、ノイズレベルを減少させるエッセンシャルオイル還流型霧化装置を提供する。【解決手段】エッセンシャルオイル還流式霧化装置は、シャーシ１０、ハウジング３０、ガスポンプ２１、ガス管２２、ガスノズル２３、オイルノズル２４及びフィルタ霧化機構４０を含む。フィルタ霧化機構４０は、複数のフィルタハウジング４１を含む。さらに、フィルタハウジング４１のそれぞれが円筒形であり、複数のフィルタハウジング４１の直径が連続的に低減し、複数のフィルタハウジング４１が同心円状に配置され、２つの隣接するフィルタハウジング４１が、外側層のフィルタハウジング４１ｂに挿入される内側層のフィルタハウジング４１ａを含む。【選択図】図１
0003223159.tif 000002
【実用新案登録請求の範囲】
【請求項１】
エッセンシャルオイル霧化装置であって：
シャーシ；
前記シャーシに接続されているとともに霧化室を有するハウジングであって、前記霧化室に接続されている吐出開口を含み、前記ハウジングの下側端には、エッセンシャルオイルボトルを接続する接続開口が設けられている、ハウジング；
エッセンシャルオイルをエッセンシャルオイルボトルから引き出すオイルノズルであって、前記ハウジングに位置付けられ、前記オイルノズルの上側端は前記霧化室内に突出する、オイルノズル；
前記シャーシに位置付けられるポンプ；
前記ポンプに接続されているガス管；
前記ガス管を通して前記ポンプに接続されているとともに出口を有するガスノズルであって、前記ガスノズルの前記出口は、前記オイルノズルの前記上側端に隣接して位置付けられ、前記ポンプを出る空気流を、前記オイルノズルの前記上側端に方向付けるように構成されている、ガスノズル；及び
前記霧化室から前記吐出開口への空気流中のエッセンシャルオイル液滴をろ過する、前記ハウジング内のフィルタ霧化機構であって、前記霧化室内に位置付けられ；上側フィルタ及び下側フィルタを含み；前記上側フィルタは、前記ハウジングの前記吐出開口と流体連通している上側貫通孔を含み；前記下側フィルタは、前記霧化室と流体連通している少なくとも１つの下側貫通孔を含み；前記下側フィルタは、各下側貫通孔に隣接するバッフルを更に含み；前記バッフルは空気流路にあり、エッセンシャルオイル液滴をろ過することが可能であり；前記上側フィルタ及び前記下側フィルタは、前記空気流を、前記吐出開口に達する前に前記少なくとも１つの下側貫通孔及び前記上側貫通孔を通して連続的に押しやるように構成されている、フィルタ霧化機構
を備える、エッセンシャルオイル霧化装置。
【請求項２】
前記上側フィルタ及び前記下側フィルタの双方は円筒形である、請求項１に記載のエッセンシャルオイル霧化装置。
【請求項３】
前記上側フィルタ及び前記下側フィルタは同心円状に配置されている、請求項１又は２に記載のエッセンシャルオイル霧化装置。
【請求項４】
前記上側フィルタの直径は、前記下側フィルタの直径よりも小さい、請求項１〜３のいずれか一項に記載のエッセンシャルオイル霧化装置。
【請求項５】
前記下側フィルタの底部と前記オイルノズルとの間の最も近い距離は３ｍｍよりも大きい、請求項１〜４のいずれか一項に記載のエッセンシャルオイル霧化装置。
【請求項６】
前記下側フィルタは底部板を含み、前記下側フィルタの前記底部板は湾曲しており、前記底部板の中央部分は上方にアーチ状である、請求項１〜５のいずれか一項に記載のエッセンシャルオイル霧化装置。
【請求項７】
前記少なくとも１つの下側貫通孔は、前記下側フィルタの底部の外周に位置付けられる、請求項１〜６のいずれか一項に記載のエッセンシャルオイル霧化装置。
【請求項８】
前記上側フィルタは第１のねじ山を含み、前記下側フィルタは、前記第１のねじ山に接続する対応する第２のねじ山を含む、請求項１〜７のいずれか一項に記載のエッセンシャルオイル霧化装置。
【請求項９】
前記下側フィルタは底部板を含み、前記バッフルは前記下側フィルタの前記底部板に一体的に接続されている、請求項１〜８のいずれか一項に記載のエッセンシャルオイル霧化装置。
【請求項１０】
前記オイルノズルは開口を含み、前記オイルノズルの前記開口を形成する側壁は円錐状又は上方に凸状の形状である、請求項１〜９のいずれか一項に記載のエッセンシャルオイル霧化装置。
【請求項１１】
前記ガスノズルの出口軸は、前記オイルノズルの前記開口に向かって方向付けられ、側壁の少なくとも一部が前記オイルノズルの前記開口を形成する、請求項１〜１０のいずれか一項に記載のエッセンシャルオイル霧化装置。
【請求項１２】
前記ガスノズルの前記出口軸及び前記オイルノズルの出口軸は、９０度未満の角度を形成する、請求項１１に記載のエッセンシャルオイル霧化装置。
【請求項１３】
前記エッセンシャルオイル霧化装置は、前記ガスノズルによって噴射される空気流を上方に案内する案内板を更に備え、前記案内板は、前記霧化室にあり、前記ガスノズルに面し、前記案内板は、前記ガスノズルの前記出口に対して傾斜した平面を形成する、請求項１〜１２のいずれか一項に記載のエッセンシャルオイル霧化装置。
【請求項１４】
前記案内板には前記霧化室の側壁が一体的に接続されている、請求項１３に記載のエッセンシャルオイル霧化装置。
【請求項１５】
前記霧化室の前記下側端は還流漏斗を含み、前記還流漏斗の下側端は、前記接続開口に突出する出口管を含む、請求項１３又は１４に記載のエッセンシャルオイル霧化装置。
【請求項１６】
前記オイルノズルは、前記出口管の側壁に位置付けられ、前記案内板には前記還流漏斗の上側端が接続されている、請求項１５に記載のエッセンシャルオイル霧化装置。
【請求項１７】
前記オイルノズルの下側端には接続スリーブが接続されており、オイル管が前記接続スリーブ内に着脱可能に挿入される、請求項１〜１６のいずれか一項に記載のエッセンシャルオイル霧化装置。
【請求項１８】
前記エッセンシャルオイル霧化装置は、前記ガス管を前記ガスノズルに接続する接続管を更に備え、前記接続管は、前記ガス管からの空気流を前記ガスノズルに移動させるように構成されている、請求項１〜１７のいずれか一項に記載のエッセンシャルオイル霧化装置。
【請求項１９】
前記ガスノズルと前記接続管との間の接続を確実にするための封止リングを更に備える、請求項１８に記載のエッセンシャルオイル霧化装置。
【請求項２０】
前記ハウジングは、前記シャーシに据え付けられる主ハウジング、及び、前記主ハウジングに据え付けられる外側カバーを含み、前記主ハウジングは前記霧化室及び１つ又は複数の開口を含み、前記外側カバーは前記主ハウジングを覆う、請求項１〜１９のいずれか一項に記載のエッセンシャルオイル霧化装置。
【請求項２１】
前記外側カバーは、前記吐出開口に接続されている開口を含む、請求項２０に記載のエッセンシャルオイル霧化装置。
【請求項２２】
前記接続開口は前記主ハウジングの底部に配置される、請求項１〜２１のいずれか一項に記載のエッセンシャルオイル霧化装置。
【請求項２３】
前記接続開口は、前記エッセンシャルオイルボトルを接続するねじ山付きのスリーブを含む、請求項１〜２２のいずれか一項に記載のエッセンシャルオイル霧化装置。
【考案の詳細な説明】
【技術分野】
【０００１】
本考案は、霧化装置の分野に関し、より詳細には、空気流が案内されるエッセンシャルオイル還流式の霧化装置に関する。
【背景技術】
【０００２】
日常生活において、エッセンシャルオイルは多くの場合に、周囲の環境を改善するか、又は、殺菌、消毒若しくは環境の香りを変えるといったような、治療を行うために使用される。エッセンシャルオイルを使用するとき、環境へのエッセンシャルオイルの拡散を容易にするように、エッセンシャルオイルを霧化するために霧化装置が多くの場合に使用される。
【考案の概要】
【考案が解決しようとする課題】
【０００３】
従来のエッセンシャルオイル霧化装置は通常、エッセンシャルオイルボトルからエッセンシャルオイルを引き出し、エッセンシャルオイルを霧化装置から移動させて霧化を達成するために、高速の空気流を排出する。しかし、本考案者らは、この霧化方法の結果として、エッセンシャルオイルのより大きい液滴が霧化された気体内に入り、霧化性能が乏しくなることを見出した。加えて、エッセンシャルオイルの大きい液滴は、吐出される場合に多くの無駄を生じる。エッセンシャルオイルの無駄を減らすために、エッセンシャルオイル液滴を再使用するように、エッセンシャルオイル液滴と混合される霧化された空気流をろ過するフィルタが多くの場合に使用される。しかし、本考案者らは、エッセンシャルオイル霧化室のスペースが概して小さいため、混合された空気流が、ガスノズルに面する霧化室の側壁のエリアにおいて直接的に当たって蓄積する可能性があることを見出した。後続の空気流が同じエリアに当たる状態では、そのエリアのエッセンシャルオイル液滴は吹き付けられてフィルタに撥ねる可能性があり、それによってフィルタを塞ぎ、ろ過の効率を下げ、無駄を生じる。
【課題を解決するための手段】
【０００４】
本考案の目的は、従来技術におけるエッセンシャルオイル霧化性能が乏しく、エッセンシャルオイルの無駄を生じるという問題を解決するために、空気流によって案内されるエッセンシャルオイル還流式霧化装置を提供することである。本考案の別の目的は、エッセンシャルオイル液滴がエッセンシャルオイル霧化装置の霧化室内で撥ね、これによってフィルタを塞いでエッセンシャルオイルの無駄を生じる可能性があるという問題を解決することである。
【０００５】
１つの態様では、本考案は、エッセンシャルオイル霧化装置であって：シャーシ；シャーシに接続されているとともに霧化室を有するハウジングであって、霧化室に接続されている吐出開口を含み、ハウジングの下側端には、エッセンシャルオイルボトルを接続する接続開口が設けられている、ハウジング；エッセンシャルオイルをエッセンシャルオイルボトルから引き出すオイルノズルであって、ハウジングに位置付けられ、オイルノズルの上側端は霧化室内に突出する、オイルノズル；シャーシに位置付けられるガスポンプ（例えば空気ポンプ）；ガスポンプに接続されているガス管；ガス管を通してガスポンプに接続されているとともに出口を有するガスノズルであって、ガスノズルの出口は、オイルノズルの上側端に隣接して位置付けられ、ガスポンプを出る空気流を、オイルノズルの上側端に方向付けるように構成されている、ガスノズル；並びに、霧化室から吐出開口への空気流中のエッセンシャルオイル液滴をろ過するための、ハウジング内のフィルタ霧化機構であって、霧化室内に位置付けられる、フィルタ霧化機構を含み；フィルタ霧化機構は複数のフィルタハウジングを含み、フィルタハウジングを通して、空気流が連続して通過し、フィルタハウジングのそれぞれの下側端は、空気流中のエッセンシャルオイル液滴をろ過するための１つ又は複数の貫通孔を含む、エッセンシャルオイル霧化装置を特徴とする。
【０００６】
別の態様では、本考案は、エッセンシャルオイル霧化装置であって：シャーシ；シャーシに接続されているとともに霧化室に接続されているハウジングであって、霧化室に接続されている吐出開口を含み、ハウジングの下側端には、エッセンシャルオイルボトルを接続する接続開口が設けられている、ハウジング；エッセンシャルオイルをエッセンシャルオイルボトルから引き出すオイルノズルであって、ハウジングに位置付けられ、オイルノズルの上側端は霧化室内に突出する、オイルノズル；シャーシに位置付けられるガスポンプ；ガスポンプに接続されているガス管；ガス管を通してガスポンプに接続されているとともに出口を有するガスノズルであって、ガスノズルの出口は、オイルノズルの上側端に隣接して位置付けられ、ガスポンプを出る空気流を、オイルノズルの上側端に方向付けるように構成されている、ガスノズル；並びに、ガスノズルに面して霧化室に位置付けられる案内板であって；案内板はガスノズルの出口軸と或る角度を形成し、案内板は霧化室の側壁に接続されており、案内板は、ガスノズルからの空気流を吐出開口に上方に案内するように構成されている、案内板を含む、エッセンシャルオイル霧化装置を特徴とする。
【０００７】
別の態様では、本考案は、エッセンシャルオイル霧化装置であって：シャーシ；シャーシに接続されているとともに霧化室を有するハウジングであって、霧化室に接続されている吐出開口を含み、ハウジングの下側端には、エッセンシャルオイルボトルを接続する接続開口が設けられている、ハウジング；エッセンシャルオイルをエッセンシャルオイルボトルから引き出すオイルノズルであって、ハウジングに位置付けられ、オイルノズルの上側端は霧化室内に突出する、オイルノズル；シャーシに位置付けられるガスポンプ（例えば空気ポンプ）；ガスポンプに接続されているガス管；ガス管を通してガスポンプに接続されているとともに出口を有するガスノズルであって、ガスノズルの出口は、オイルノズルの上側端に隣接して位置付けられ、ガスポンプを出る空気流を、オイルノズルの上側端に方向付けるように構成されている、ガスノズル；並びに、霧化室から吐出開口への空気流中のエッセンシャルオイル液滴をろ過するための、ハウジング内のフィルタ霧化機構であって、霧化室内に位置付けられる、フィルタ霧化機構を含み；フィルタ霧化機構は上側フィルタ及び下側フィルタを含み；上側フィルタは、ハウジングの吐出開口と流体連通している上側貫通孔を含み；下側フィルタは、霧化室と流体連通している少なくとも１つの下側貫通孔を含み；下側フィルタは、少なくとも１つの下側貫通孔に隣接するバッフルを更に含み；バッフルは、空気流路にあり、エッセンシャルオイル液滴を阻止することが可能であり；上側フィルタ及び下側フィルタは、空気流を、吐出開口に達する前に少なくとも１つの下側貫通孔及び上側貫通孔を通して連続的に押しやるように構成されている、エッセンシャルオイル霧化装置を特徴とする。
【０００８】
実施形態は、以下の特徴の１つ又は複数を含むことができる：
【０００９】
幾つかの実施形態では、フィルタハウジングはそれぞれ円筒形である。
【００１０】
幾つかの実施形態では、複数のフィルタハウジングの直径が連続的に低減する。
【００１１】
幾つかの実施形態では、複数のフィルタハウジングは同心円状に配置されている。
【００１２】
幾つかの実施形態では、複数のフィルタハウジングは最も内側のフィルタハウジングを含み、最も内側のフィルタハウジングは吐出開口に接続されている。
【００１３】
幾つかの実施形態では、２つの隣接するフィルタハウジングの側壁間の最も近い距離は１．５ｍｍ〜１０ｍｍである。
【００１４】
幾つかの実施形態では、複数のフィルタハウジングは最も外側のフィルタハウジングを含み、最も外側のフィルタハウジングの底部とオイルノズルとの間の距離は２ｍｍよりも大きい。
【００１５】
幾つかの実施形態では、フィルタハウジングのそれぞれの底部板は湾曲しており、底部板の中央部分は上方にアーチ状である。
【００１６】
幾つかの実施形態では、２つの隣接するフィルタハウジングの貫通孔は相互にずれている。
【００１７】
幾つかの実施形態では、フィルタ霧化機構は、霧化室内に据え付けられる固定板を更に含み、固定板は、フィルタハウジングの上側端同士を接続する複数の接続リングを含む。
【００１８】
幾つかの実施形態では、固定板は、最も内側の接続リング内に位置付けられる空気出口を含む。
【００１９】
幾つかの実施形態では、接続リングのそれぞれは第１のねじ山を含む。
【００２０】
幾つかの実施形態では、フィルタハウジングのそれぞれの上側端は、対応する第１のねじ山に接続する第２のねじ山を含む。
【００２１】
幾つかの実施形態では、複数のフィルタハウジングは最も内側のフィルタハウジングを含み、最も内側のフィルタハウジング及び固定板は一体的に形成される。
【００２２】
幾つかの実施形態では、固定板は、最も内側層のフィルタハウジングの側壁に一体的に接続されている。
【００２３】
幾つかの実施形態では、オイルノズルは開口を含み、オイルノズルの開口を形成する側壁は円錐状又は上方に凸状の形状である。
【００２４】
幾つかの実施形態では、ガスノズルの出口軸は、オイルノズルの開口に向かって方向付けられ、側壁の少なくとも一部がオイルノズルの開口を形成する。
【００２５】
幾つかの実施形態では、ガスノズルの出口軸及びオイルノズルの出口軸は、９０度未満の角度を形成する。
【００２６】
幾つかの実施形態では、ガスノズルによって噴射される空気流を上方に案内する案内板が、霧化室に配置されてガスノズルに面し、案内板は、ガスノズルの出口に対して傾斜した平面を形成する。
【００２７】
幾つかの実施形態では、案内板には霧化室の側壁が一体的に接続されている。
【００２８】
幾つかの実施形態では、霧化室の下側端は還流漏斗を含み、還流漏斗の下側端は、接続開口に突出する出口管を含む。
【００２９】
幾つかの実施形態では、オイルノズルは、出口管の対応する位置に位置付けられ、案内板には還流漏斗の上側端が接続されている。
【００３０】
幾つかの実施形態では、オイルノズルの下側端には接続スリーブが接続されており、管が接続スリーブ内に着脱可能に挿入される。
【００３１】
幾つかの実施形態では、接続管が、ガス管をガスノズルに接続するように配置され、接続管は、ガス管からの空気流をガスノズルに移動させるように構成されている。
【００３２】
幾つかの実施形態では、封止リングが、ガスノズルと接続管との間の接続を確実にするように配置される。
【００３３】
幾つかの実施形態では、ハウジングは、シャーシに据え付けられる主ハウジング、及び、主ハウジングに据え付けられる外側カバーを含み、主ハウジングは霧化室及び１つ又は複数の開口を含み、外側カバーは主ハウジングを覆う。
【００３４】
幾つかの実施形態では、外側カバーは、吐出開口に接続されている開口を含む。
【００３５】
幾つかの実施形態では、接続開口は主ハウジングの底部に配置される。
【００３６】
幾つかの実施形態では、接続開口は、エッセンシャルオイルボトルを接続するねじ山付きのスリーブを含む。
【００３７】
幾つかの実施形態では、上側フィルタ及び下側フィルタの双方は円筒形である。
【００３８】
幾つかの実施形態では、上側フィルタの直径は、下側フィルタの直径よりも小さい。
【００３９】
幾つかの実施形態では、上側フィルタ及び下側フィルタは同心円状に配置されている。
【００４０】
幾つかの実施形態では、下側フィルタの底部とオイルノズルとの間の距離は２ｍｍよりも大きい。
【００４１】
幾つかの実施形態では、下側フィルタは底部板を含み、下側フィルタの底部板は湾曲しており、底部板の中央部分は上方にアーチ状である。
【００４２】
幾つかの実施形態では、少なくとも１つの下側貫通孔が、下側フィルタの底部の外周に位置付けられる。
【００４３】
幾つかの実施形態では、下側フィルタは底部板を含み、バッフルは下側フィルタの底部板に一体的に接続されている。
【００４４】
幾つかの実施形態では、上側フィルタは第１のねじ山を含み、下側フィルタは、第１のねじ山に接続する対応する第２のねじ山を含む。
【００４５】
幾つかの実施形態では、上側フィルタ及び下側フィルタはねじによって接続される。
【００４６】
幾つかの実施形態では、封止リングが、下側フィルタとハウジングとの間の接続を確実にするように配置される。
【００４７】
従来のエッセンシャルオイル霧化装置と比較して、本考案の空気流によって案内されるエッセンシャルオイル還流式霧化装置は、以下の有利な効果の１つ又は複数を有する：第１に、フィルタ霧化機構を霧化室内に設けることによって、空気流は、ガスノズルを通してガスポンプから圧送されると、エッセンシャルオイルを、エッセンシャルオイルボトルからオイルノズルを通して引き出し、エッセンシャルオイルを霧化して混合された空気流を形成し；混合された空気流がフィルタ霧化機構のフィルタハウジングのそれぞれを通ると、空気流中のより大きいエッセンシャルオイル液滴が再使用されるようにろ過され、それによって、エッセンシャルオイルの無駄を減らし、一方で、霧化されたより小さいエッセンシャルオイル液滴は通過して、霧化装置から環境内に吐出され；空気流中のエッセンシャルオイル液滴が貫通孔のそれぞれに位置する場合、貫通孔の２つの側間の圧力差によって、貫通孔のそれぞれにおいて空気流を生じ、これらのエッセンシャルオイル液滴を再び霧化し、霧化性能を高めることができる。第２に、案内板及びフィルタを霧化室内に設けることによって、混合された空気流（ガスポンプからの空気流とオイルボトルからのエッセンシャルオイルとの混合物を含む）は、案内板に当たり、フィルタ霧化機構まで上方に流れるように案内されることができ、この場合、より大きいエッセンシャルオイル液滴はろ過されて再使用され、無駄を減らし；同時に、案内板も、混合された空気流からエッセンシャルオイル液滴の幾らかを収集することができ、フィルタを塞ぐ可能性があるオイルの撥ねを低減し、ろ過効率を確実にする。加えて、幾つかの実施形態では、本考案の霧化装置は、非常に低い雑音レベルを有する。具体的には、幾つかの実施形態では、背景雑音が１８ｄＢであるとき、霧化装置から１メートルにおける平均雑音レベルは、約２４．５ｄＢもの低さであるものとすることができる。
【図面の簡単な説明】
【００４８】
【図１】本考案の第１の実施形態によって提供されるエッセンシャルオイル霧化装置の断面構造図である。
【図２】図１に示されているエッセンシャルオイル霧化装置のガスノズル及びオイルノズルの拡大図である。
【図３】図１に示されているエッセンシャルオイル霧化装置のフィルタ霧化機構の拡大図である。
【図４】本考案の第２の実施形態によって提供されるエッセンシャルオイル霧化装置の断面図である。
【図５】図４に示されているエッセンシャルオイル霧化装置のガスノズル及びオイルノズルの拡大図である。
【図６】本考案の第３の実施形態によって提供されるエッセンシャルオイル霧化装置の断面構造図である。
【図７】図６に示されているエッセンシャルオイル霧化装置のフィルタ霧化機構の拡大図である。
【図８】図６に示されているエッセンシャルオイル霧化装置のフィルタ霧化機構の３次元図である。
【考案を実施するための形態】
【００４９】
本考案を、添付の図面及び実施形態を参照して以下で説明する。本明細書において記載される実施形態は、専ら説明を意図するものであり、本考案を限定することは意図されないことを理解されたい。
【００５０】
或る構成要素が、別の構成要素に「固定される」、「据え付けられる」、「構成される」又は「配置される」ものとして言及される場合、或る構成要素は別の構成要素に直接的又は間接的に固定することができることに留意されたい。或る構成要素が別の構成要素に「接続される」ものとして言及される場合、或る構成要素は他の構成要素に直接的又は間接的に接続されることができる。
【００５１】
加えて、「第１の」及び「第２の」という用語は、専ら説明のためのものであり、相対的な重要性を示すか若しくは示唆するか、又は、技術的な特徴部の量を示すものとして解釈されるべきではない。したがって、「第１の」及び「第２の」として修飾される特徴部は、そのような特徴部の１つ又は複数を明示的に又は暗に含むことができる。本考案の記載では、「複数」は、別途具体的に規定されない限り、２つ以上を意味する。
【００５２】
別途明記されない限り、向き又は位置関係を示す、「長さ」、「幅」、「上側」、「下側」、「前」、「後ろ」、「左」及び「右」、「鉛直」、「水平」、「上部」、「底部」、「内部」、「外部」並びに他の用語は、示されるデバイス又は構成要素が特定の向きを有し、特定の向きで構成及び動作されなければならないことを示すか又は示唆するのではなく、専ら本考案の説明を容易にするとともに簡略化するために、図面に示されている向き又は位置関係に言及するのに使用され、したがって、限定するものとしては解釈できないことを理解されたい。
【００５３】
本考案の記載において、「据え付ける」、「接続される」及び「接続する」という用語は、別途具体的に規定されるか又は限定されない限り、広範に解釈されるべきであることに留意されたい。例えば、構成要素は、固定して接続してもよいか若しくは着脱可能に接続してもよく、又は、一体的に接続される。接続は機械的又は電気的であるものとすることができる。接続は直接的又は間接的（仲介物を通じて接続される）であるものとすることができる。接続は、２つの構成要素の内部通信又は２つの構成要素間の相互作用であってもよい。当業者は、特定の状況に従って、本開示における上記用語の特定の意味を理解することができる。
【００５４】
実施形態１：
図１〜図３は、本考案のエッセンシャルオイル還流式霧化装置の一実施形態を表す。エッセンシャルオイル還流式霧化装置は、シャーシ１０、ハウジング３０、ガスポンプ２１、ガス管２２、ガスノズル２３、オイルノズル２４及びフィルタ霧化機構４０を含む。ハウジング３０は、霧化室３１０、及び、霧化室３１０に接続されている吐出開口３２１を含む。ハウジング３０の下側端は、エッセンシャルオイルボトル６０を協働して接続する接続開口３１１を含む。ハウジング３０はシャーシ１０に据え付けられる。ガスポンプ２１もシャーシ１０内に据え付けられ、シャーシ１０はポンプ２１を支持及び保護する。ガス管２２の一端はガスポンプ２１に接続されており、ガス管２２の他端はガスノズル２３に接続されている。オイルノズル２４は、接続開口３１１に対応する位置に位置付けられ、それによって、接続開口３１１がエッセンシャルオイルボトル６０に接続されると、エッセンシャルオイルを、エッセンシャルオイルボトル６０からオイルノズルを通して引き出すことができる。オイルノズル２４の上側端は霧化室３１０内に突出する。ガスノズル２３の出口２３１が、オイルノズル２４の上側端に隣接して位置付けられ、ガスポンプを出る空気流を、オイルノズルの上側端に方向付けるように構成されている。理論によって拘束されることは望まないが、ガスポンプ２１が高圧の空気流を提供して空気流をガスノズル２３から排出すると、オイルノズル２４の上側端において負圧が形成され、エッセンシャルオイルをエッセンシャルオイルボトル６０からオイルノズル２４を介して引き出すと考えられる。引き出されたエッセンシャルオイル液滴は次に、ガスノズル２３からの高速の空気流によって霧化され、エッセンシャルオイル液滴を含有する混合された空気流を形成することができ、これは、霧化室３１０内の圧力を上昇させる。接続開口３１１及びエッセンシャルオイルボトル６０は接続されているため、霧化室３１０内の高圧の混合された空気流は、吐出開口３２１を通して強制的に押しやられて環境に吐出される。
【００５５】
フィルタ霧化機構４０は、ハウジング３０内の霧化室３１０内に配置され、ハウジング３０によって支持される。フィルタ霧化機構４０は、霧化室３１０から吐出開口３２１へ流れる空気流中のエッセンシャルオイル液滴をろ過するために使用される。霧化室３１０内の混合された空気流は、吐出開口３２１に向かって流れるときに、フィルタ霧化機構４０を通る必要があり、ここで、混合された空気流をフィルタ霧化機構４０によってろ過し、より大きいエッセンシャルオイル液滴を再使用してエッセンシャルオイルの無駄を減らすことができ、一方で、より小さいエッセンシャルオイル液滴は、フィルタ霧化機構４０を通り、吐出開口３２１を通して吐出される。
【００５６】
概して、フィルタ霧化機構４０は、複数の（例えば２つ、３つ又は４つの）フィルタハウジング４１を含む。幾つかの実施形態では、霧化室３１０内の空気流は、吐出開口３２１に向かって流れるときに、フィルタハウジング４１を連続的に通る。フィルタハウジング４１の下側端（例えば、シリンダの底部にある）は、空気流中のエッセンシャルオイル液滴をろ過する１つ又は複数の（例えば２つ、３つ又は４つの）貫通孔４１１を含む。エッセンシャルオイル液滴を含有する空気流がフィルタハウジング４１のそれぞれを連続的に通ると、混合された空気流中のより大きいエッセンシャルオイル液滴は、フィルタハウジング４１のそれぞれによってろ過され、重力に起因して還流漏斗を通ってオイルボトルに流れて戻ることができる。より小さいエッセンシャルオイル液滴は、フィルタハウジング４１のそれぞれの貫通孔４１１を通り、吐出開口３２１を通して吐出されることができる。上記で説明したように、ガスノズル２３からの空気流は、霧化室内のフィルタハウジング４１外の圧力を上昇させる。理論によって拘束されることは望まないが、フィルタハウジング４１の２つの側における圧力差は、貫通孔４１１内のエッセンシャルオイル液滴が空気流によって再び霧化され、霧化効率を高めるように、貫通孔４１１のそれぞれにおいて空気流を生じると考えられる。その結果、複数のフィルタハウジング４１の使用は、より大きいエッセンシャルオイル液滴をより良好にろ過し、無駄を更に減らし、ろ過の効率を高めることができる。加えて、フィルタハウジングを用いない従来のシステムと比較して、フィルタハウジング４１の使用は、内部に蓄積されるエッセンシャルオイル液をより良好に戻し、フィルタ４０へのオイルの付着を回避し、したがって、ろ過されたエッセンシャルオイル液滴をより良好に再使用し、エッセンシャルオイルの無駄を更に減らすことができると考えられる。
【００５７】
従来の霧化装置と比較して、本考案のエッセンシャルオイル還流式霧化装置は、以下の有利な効果の１つ又は複数を有する：ガスノズル２３が空気流を吹き出すと、エッセンシャルオイルがエッセンシャルオイルボトルからオイルノズル２４を通して引き出され、空気流によって混合及び霧化されて混合された空気流を形成する。混合された空気流がフィルタ霧化機構４０のフィルタハウジング４１のそれぞれを連続的に通るときに、空気流中のより大きいエッセンシャルオイル液滴を、フィルタハウジング４１のそれぞれによってろ過して再使用することができ、それによってエッセンシャルオイルの無駄を減らす。より小さいエッセンシャルオイル液滴は、フィルタハウジング４１のそれぞれを通って環境に吐出されることができる。フィルタハウジング４１の２つの側間の圧力差は、貫通孔４１１のそれぞれにおいて空気流を生じ、したがって、貫通孔４１１内のエッセンシャルオイル液滴は空気流によって再び霧化され、霧化効率を高める。
【００５８】
さらに、図１及び図３は、フィルタハウジング４１のそれぞれが円筒形であり、複数のフィルタハウジング４１の直径が連続的に低減し、複数のフィルタハウジング４１が同心円状に配置され、２つの隣接するフィルタハウジング４１が、外側層のフィルタハウジング４１ｂに挿入される内側層のフィルタハウジング４１ａを含む実施形態を示している。内側層のフィルタハウジング４１ａには吐出開口３２１が接続されている。フィルタハウジング４１は概して、製造が単純であり、据え付けが簡単である。フィルタハウジング４１は霧化室３１０に位置付けられ、霧化室３１０内の混合された空気流がフィルタハウジング４１に入ってろ過及び霧化されることを容易にする。加えて、フィルタハウジング４１は円筒形状で配置され、１つ又は複数の貫通孔４１１がフィルタハウジング４１の下側端に配置される。内側層のフィルタハウジング４１ａは、外側層のフィルタハウジング４１ｂに挿入される。理論によって拘束されることは望まないが、混合された空気流は、貫通孔４１１から外側層のフィルタハウジング４１ｂに入ると、内側層のフィルタハウジング４１ａの外側壁に沿って回転し及び／又は乱流状に流れる。したがって、霧化されたエッセンシャルオイルは急速に拡散することができ、より大きいエッセンシャルオイル液滴は、慣性に起因して内側層のフィルタハウジング４１ａの外側面に当たり、遮られてろ過され、ろ過効果を高める。加えて、ガスポンプが使用されないとき、フィルタハウジング４１内に収集されたエッセンシャルオイルはより大きい液滴を形成し、重力に起因してフィルタハウジング４１の貫通孔を通ってエッセンシャルオイルボトル６０に戻り、再使用されることができる。幾つかの実施形態では、穴を有する複数の板（例えば、フィルタハウジング４１に加えて又はその代わりに）を使用して、霧化室内のエッセンシャルオイル液滴をろ過することができる。他の実施形態では、フィルタハウジング４１は、底部の中央部分が下方にアーチ状になったカップ形状であってもよい。
【００５９】
この実施形態では、フィルタハウジング４１の数は２つであり、内側層のフィルタハウジング４１ａは外側層のフィルタハウジング４１ｂに挿入される。他の実施形態では、フィルタハウジング４１の数は、３つ、４つ又はそれ以上であるものとすることができる。
【００６０】
さらに、図３に示されているように、フィルタ霧化機構４０は固定板４２を更に含み、固定板４２は、フィルタハウジング４１の上側端をハウジング３０に接続する複数の接続リング４２１を含む。接続リング４２１を用いて、フィルタハウジング４１のそれぞれを、固定板４２に一体的に又は螺合によって簡便に接続することができる。固定板４２は霧化室３１０内に据え付けることができ、それによって、フィルタハウジング４１を霧化室３１０内に据え付けることができる。幾つかの実施形態では、固定板４２は通過孔を含む。通過孔は最も内側の接続リング４２１に位置付けることができ、それによって、最も内側層のフィルタハウジング４１が固定板４２に据え付けられると、通過孔は最も内側層のフィルタハウジング４１を受け入れることができ、したがって最も内側層のフィルタハウジング４１には吐出開口３２１が接続される。
【００６１】
さらに、図３に示されているように、固定板４２は接続リング４２１の周りの固定リング４２２を更に含むことができる。固定リング４２２には霧化室３１０の内側壁を接続することができる。固定板４２を固定リング４２２によって霧化室３１０内に据え付け及び固定することは簡便である。
【００６２】
さらに、固定リング４２２は据え付け用のねじ山を有することができる。霧化室３１０の内側壁は、固定リング４２２とねじ接続する対応するねじ山を有することができる。
【００６３】
さらに、幾つかの実施形態では、接続リング４２１の１つ又は複数は第１のねじ山を含むことができ、対応するフィルタハウジング４１の上側端は、第１のねじ山に対応する第２のねじ山を含むことができる。この構造は、当該技術分野において既知の方法によって簡便に製造することができる。フィルタハウジング４１の１つ又は複数には、螺合によって対応する接続リング４２１を簡便に接続することができる。
【００６４】
さらに、図１及び図３に示されているように、最も内側層のフィルタハウジング４１及び固定板４２は一体的に形成される。固定板４２を最も内側層のフィルタハウジング４１と一体的に形成することは、最も内側層のフィルタハウジング４１と固定板４２との間の接続強度を確実にすることができる。この構造では、最も内側の接続リング４２１は、内側層のフィルタハウジング４１の側壁として使用され、占有スペースを低減することができる。他の実施形態では、固定板４２及び最も内側層のフィルタハウジング４１は、２つの別個の部分であるものとすることができ、上述した螺合によって接続することができる。
【００６５】
さらに、図１及び図３に示されているように、フィルタハウジング４１のそれぞれの底部板４１２は、底部板４１２の中央部分が上方にアーチ状になった状態で湾曲している。貫通孔４１１は、フィルタハウジング４１の側壁の（例えば側壁及び底部板によって画定される）下側端に位置付けられる。フィルタハウジング４１のそれぞれの底部板４１２は、フィルタハウジング４１内に収集されたエッセンシャルオイル液が貫通孔４１１に向かって流れ、エッセンシャルオイルボトル６０内に排出されて戻ることを可能にするようにアーチ状である。
【００６６】
さらに、フィルタハウジング４１のそれぞれの貫通孔４１１は、各フィルタハウジング４１の側壁の下側端（例えば側壁の下側３分の１）に位置付けられ、製造を簡便にするとともに、エッセンシャルオイル液滴のろ過及び再使用も簡便であるようにする。さらに、フィルタハウジング４１の底部板４１２が上方にアーチ状の円弧面を有する場合、円弧面は、貫通孔４１１のそれぞれからフィルタハウジング４１内に流れる空気流を案内することもできる。
【００６７】
さらに、２つの隣接するフィルタハウジング４１の貫通孔４１１は相互にずらすことができる。そのような実施形態では、空気流が外側層のフィルタハウジング４１ｂの貫通孔４１１を通ると、より大きいエッセンシャルオイル液滴が内側層のフィルタハウジング４１ａの外側側壁に吹き付けられ、遮られて収集され、より良好なろ過を達成する。より小さい液滴はより小さい質量、したがってより小さい慣性を有するため、方向をより容易に変え、空気流に同伴することができる。幾つかの実施形態では、２つの隣接するフィルタハウジング４１内の貫通孔４１１は、より大きいエッセンシャルオイル液滴をろ過するように連続的に低減される直径を有することができる。例えば、内側層のフィルタハウジング４１ａ内の貫通孔４１１の直径は、外側層のフィルタハウジング４１ｂ内の貫通孔４１１の直径よりも小さいものとすることができる。幾つかの実施形態では、最も内側のフィルタハウジング４１の貫通孔４１１の直径は、１．６ｍｍ〜２．０ｍｍ（例えば１．８ｍｍ）の範囲であるものとすることができ、一方で、中間の外側のフィルタハウジング４１の貫通孔４１１の直径は、２．０ｍｍ〜２．４ｍｍ（例えば２．２ｍｍ）であるものとすることができる。そのような実施形態では、内側層のフィルタハウジング４１ａ及び外側層のフィルタハウジング４１ｂ内の貫通孔４１１は、中央に位置合わせされるか又はずらすことができる（すなわち中央に位置合わせされない）。
【００６８】
さらに、２つの隣接するフィルタハウジング４１では、内側層のフィルタハウジング４１ａの底部板を、外側層のフィルタハウジング４１ｂの底部板４１２から離すことができ、それによって、内側層のフィルタハウジング４１ａと外側層のフィルタハウジング４１ｂとの間の隙間内の空気流を増大させることができ、エッセンシャルオイル液滴のろ過及び再使用を向上させる。
【００６９】
さらに、２つの隣接するフィルタハウジング４１において、内側層のフィルタハウジング４１ａの側壁と外側層のフィルタハウジング４１ｂの側壁との間の最も近い距離は、少なくとも１．５ｍｍ（例えば、少なくとも２ｍｍ又は少なくとも３ｍｍ）から、最大でも１０ｍｍ（例えば、最大でも９ｍｍ又は最大でも８ｍｍ）の範囲であるものとすることができる。理論によって拘束されることは望まないが、上記距離を１．５ｍｍ〜１０ｍｍに制御することが、エッセンシャルオイル霧化装置が使用されるときの過剰な雑音を最小限に抑えるために重要であり得ると考えられる。好ましい実施形態では、２つの隣接するフィルタハウジング４１の側壁間の最も近い距離は２．２ｍｍである。
【００７０】
さらに、図１及び図２に示されているように、ガスノズル２３の出口２３１の軸方向は、オイルノズル２４の側壁２４２の上側端の上部に向かって方向付けられる。ガスノズルの出口軸及びオイルノズルの出口軸は、９０度未満である角度を形成する。空気流がガスノズル２３の出口２３１から排出されると、空気流は、オイルノズル２４の上側端を覆い、オイルノズル２４の上側端において（例えばベルヌーイ効果に起因して）負圧をより良好に形成することができ、これが、エッセンシャルオイルをエッセンシャルオイルボトル６０から引き出すことができる。同時に、オイルノズル２４の側壁２４２の上部は、（例えば空気流の少なくとも幾らかを遮ることによって）ガスノズル２３から排出される空気流の方向を変えることができ、それによって、オイルノズル２４から出されるエッセンシャルオイル液滴の霧化を改善する。
【００７１】
さらに、ガスノズル２３の出口２３１から排出される空気流は、下側位置からオイルノズル２４の側壁２４２の上側端の上部に向かって方向付けられる（例えば、出口２３１は、オイルノズル２４よりも下側位置にあるものとすることができる）。この構成は、ガスノズル２３によって排出される空気流がオイルノズル２４内に吹き込むことを防止することができ、それによって、エッセンシャルオイルボトルからのエッセンシャルオイルの引き出しを容易にするとともに、エッセンシャルオイルをより良好な霧化のために上方に吹き付ける。さらに、この実施形態では、オイルノズル２４の上側端の側壁２４２は円錐形状であり、ガスノズル２３からの空気流を上方に案内するため、空気流は、オイルノズル２４から出されるエッセンシャルオイルをより良好に霧化することができる。他の実施形態では、オイルノズル２４の上側端の側壁２４２は、ドーム形状であってもよい。
【００７２】
さらに、図１に示されているように、霧化室３１０の下側端は、底部に出口管３３１を有する還流漏斗３３を含む。出口管３３１は接続開口３１１内に突出する。オイルノズル２４は出口管３３１に一体的に接続されている。接続開口３１１にエッセンシャルオイルボトル６０が接続されると、還流漏斗３３の出口管３３１はエッセンシャルオイルボトル６０内に突出し、それによって、霧化室３１０内の再使用されるエッセンシャルオイル液滴がエッセンシャルオイルボトル６０により良好に戻ることができる。
【００７３】
さらに、この実施形態では、霧化室３１０の内側壁に蓄積したエッセンシャルオイル液体がエッセンシャルオイルボトル６０に容易に戻ることができるように、還流漏斗３３の下側端には霧化室３１０の内側壁が接続されている。
【００７４】
さらに、図１に示されているように、オイルノズル２４の下側端に接続スリーブ２４１が接続されている。オイル管２４３が、接続スリーブ２４１に着脱可能に挿入されることができ、エッセンシャルオイルをエッセンシャルオイルボトル６０からオイル管２４３及びオイルノズル２４を通して霧化室３１０に引き出すことができるように、オイルノズル２４と流体連通することができる。幾つかの実施形態では、異なる長さのオイル管２４３を使用して、異なるエッセンシャルオイルボトル６０に合わせることができ、設計の適合性を高める。
【００７５】
さらに、図１に示されているように、接続管１２が、シャーシ１０の対応する位置に配置され、ガス管２２にガスノズル２３を接続することを可能にし、それによって、空気流が、ガスポンプ２１からガス管２２及び接続管１２を通って進むこと、及び、ガスノズル２３から排出されることを可能にする。接続管１２は、ガス管２２を接続管１２にしっかりと取り付け、空気流をガスポンプ２１から霧化室３１０内に送達することができるように、シャーシ１０内に配置される。
【００７６】
さらに、この実施形態では、封止リング１３がガスノズル２３と接続管１２との間に配置され、封止を高めるとともに接続部の漏れを最小限に抑え、それによって、ガス管２２内の空気流の実質的に全てがガスノズル２３を通って流れることができる。この構造は、ハウジング３０及びシャーシ１０の製造及び接続を簡略化すると考えられる。他の実施形態では、ガスノズル２３は、接続管１２を使用することなく、ガス管２２に直接的に接続することもできる。幾つかの他の実施形態では、ガスノズル２３及び接続管１２は、シャーシ１０の一部として（例えば封止リング１３を使用することなく）一体的に形成することができる。
【００７７】
さらに、図１及び図３に示されているように、ハウジング３０は、シャーシ１０に据え付けられる主ハウジング３１及び主ハウジング３１に据え付けられる外側カバー３２を含む。霧化室３１０は主ハウジング３１内に形成され、外側カバー３２は霧化室３１０を覆う。外側カバー３２は、ハウジング３０の上部に吐出開口３２１を含む。接続開口３１１は主ハウジング３１の底部に配置される。この構造は、ハウジング３０の製造及び部品の組み立てを簡略化する。例えば、この構造は、ハウジング３０へのオイルノズル２４、ガスノズル２３及びフィルタ霧化機構４０の据え付けを簡略化する。
【００７８】
さらに、図１及び図３に示されているように、接続開口３１１には、エッセンシャルオイルボトル６０を接続するねじスリーブ３４が設けられる。ねじスリーブ３４は、接続開口３１１に配置され、エッセンシャルオイルボトル６０の容易な据え付け及び交換を確実にする。
【００７９】
さらに、図１に示されているように、シャーシ１０は支持フレーム１１を含む。ガスポンプ２１は、より良好な固定のために支持フレーム１１に据え付けられる。支持フレーム１１は、複数の放熱チャネル１１１を含み、放熱効率を高める。
【００８０】
幾つかの実施形態では、ガスポンプ２１はダイアフラムポンプであるものとすることができる。当然ながら、他の実施形態では、ガスポンプ２１は、遠心ポンプ、ピストンポンプ等のような他のタイプのポンプであるものとすることができる。
【００８１】
実施形態２：
図４及び図５を参照すると、実施形態２によって提供されるエッセンシャルオイル還流式霧化装置は、実施形態１との以下の差異の１つ又は複数を有することができる：
【００８２】
幾つかの実施形態では、霧化室３１０の、ガスノズル２３に面する側に、任意の案内板３３２が設けられる。案内板３３２は、ガスノズル２３の出口２３１の軸方向に対して傾斜した平面を形成し、霧化室３１０の側壁に一体的に接続されるか又は形成される。案内板３３２は、ガスノズル２３によって噴射される空気流を上方に案内するように構成されている。ガスノズル２３が空気流を排出してエッセンシャルオイルを引き出し、混合された空気流を形成すると、混合された空気流は、混合された空気流をフィルタ霧化機構４０により良好に案内することができる案内板３３２に向かって流れることができ、それによって、フィルタ霧化機構４０におけるろ過を容易にする。加えて、案内板３３２は、混合された空気流からエッセンシャルオイル液滴の一部を収集することもでき、オイルの撥ね（フィルタ４０を塞ぐ可能性がある）を低減するとともにろ過効率を確実にする。
【００８３】
さらに、案内板３３２は、還流漏斗３３の上側端に接続することができる。この構造は、案内板３３２に蓄積するオイル液滴が、還流漏斗３３を通ってエッセンシャルオイルボトル６０に戻ることを容易にすることができ、それによって、再使用プロセスの効率を高める。さらに、案内板３３２は、還流漏斗３３と一体的に形成され、製造、据え付け及び固定を簡略化することができる。
【００８４】
さらに、幾つかの実施形態では、案内板３３２は平坦である。幾つかの実施形態では、案内板３３２は湾曲している。
【００８５】
さらに、ガスノズル２３の出口２３１の軸の延長線と、この延長線及び案内板３３２の交差点における接線との間の角度は、少なくとも１５度（例えば少なくとも２０度又は少なくとも２５度）から最大でも３５度（例えば最大でも３０度又は最大でも２５度）の範囲であるものとすることができる。例えば、角度は約３２度であるものとすることができる。この構成では、案内板３３２は、空気流を案内板３３２により良好に案内し、案内板３３２への空気流の衝撃を低減することができる。
【００８６】
さらに、１つの特定の実施形態では、最も外側のフィルタハウジング４１とオイルノズル２４との間の最も近い距離は、少なくとも２ｍｍ（例えば少なくとも３ｍｍ又は少なくとも４ｍｍ）である。この距離は、フィルタハウジング４１において撥ねるオイルを低減し、フィルタ霧化機構４０における過密化を回避することができる。
【００８７】
本実施形態におけるエッセンシャルオイル還流式霧化装置の他の構造は、実施形態１におけるエッセンシャルオイル還流式霧化装置の対応する構造と同じであるものとすることができ、ここでは詳細を繰り返さない。
【００８８】
実施形態３：
図６〜図８は、本考案のエッセンシャルオイル還流式霧化装置の別の実施形態を表す。図６に示されているように、エッセンシャルオイル還流式霧化装置は、シャーシ１０、ハウジング３０、ガスポンプ２１、ガス管２２、ガスノズル２３、オイルノズル２４及びフィルタ霧化機構４０を含む。ハウジング３０は、霧化室３３２、及び、霧化室３３２に接続されているとともに流体連通している吐出開口３２１を含む。ハウジング３０の下側端は、エッセンシャルオイルボトル６０を協働して接続する接続開口３１１を含む。ハウジング３０はシャーシ１０に据え付けられる。ガスポンプ２１（加圧空気を貯蔵することができる）もシャーシ１０内に据え付けられ、シャーシ１０はポンプ２１を支持及び保護する。ガス管２２の一端はガスポンプ２１に接続されており、ガス管２２の他端はガスノズル２３に接続されている。オイルノズル２４は、接続開口３１１に対応する位置に位置付けられ、それによって、接続開口３１１がエッセンシャルオイルボトル６０に接続されると、エッセンシャルオイルを、エッセンシャルオイルボトル６０からオイルノズル２４を通して引き出すことができる。オイルノズル２４の上側端は霧化室３３２内に突出する。ガスノズル２３の出口が、オイルノズル２４の上側端に隣接して位置付けられ、ガスポンプを出る空気流を、オイルノズル２４の上側端に方向付けるように構成されている。理論によって拘束されることは望まないが、ガスポンプ２１が高圧の空気流を提供して空気流をガスノズル２３から排出すると、オイルノズル２４の上側端において負圧が形成され、エッセンシャルオイルをエッセンシャルオイルボトル６０からオイルノズル２４を介して引き出すと考えられる。引き出されたエッセンシャルオイル液滴は次に、ガスノズル２３からの高速の空気流によって霧化され、異なるサイズのエッセンシャルオイル液滴を含有する混合された空気流を形成することができ、これは、霧化室３３２内の圧力を上昇させる。接続開口３１１はエッセンシャルオイルボトル６０に接続されているため、霧化室３３２内の高圧の混合された空気流は、吐出開口３２１を通して押しやられて環境に吐出される。
【００８９】
フィルタ霧化機構４０は、ハウジング３０内の霧化室３３２内に配置され、ハウジング３０によって支持される。フィルタ霧化機構４０は、霧化室３３２から吐出開口３２１へ流れる空気流中のエッセンシャルオイル液滴をろ過するか又は遮るために使用される。霧化室３３２内の混合された空気流は、吐出開口３２１に向かって流れるときに、フィルタ霧化機構４０を通り、ここで、混合された空気流をエッセンシャルオイル液滴のサイズに基づいてフィルタ霧化機構４０によってろ過することができる。例えば、より大きいエッセンシャルオイル液滴は、フィルタ霧化機構４０によって遮られ、エッセンシャルオイルボトル６０に再使用されて戻り、エッセンシャルオイルの無駄を減らすことができ、一方で、より小さいエッセンシャルオイル液滴は、フィルタ霧化機構４０を通り、吐出開口３２１を通して吐出されることができる。
【００９０】
概して、図７及び図８に示されているように、フィルタ霧化機構４０は、上側フィルタ４１ａ、下側フィルタ４１ｂ、底部板４１２及びバッフル４２を含む。幾つかの実施形態では、霧化室３３２内の空気流は、吐出開口３２１に向かって流れるときに、下側フィルタ４１ｂ及び上側フィルタ４１ａを連続的に通る。下側フィルタ４１ｂは、（例えば底部板４１２及び下側フィルタ４１ｂの側壁によって画定される）下側フィルタの底部の外周に１つ又は複数の（例えば２つ、３つ又は４つの）下側貫通孔４１１を含み、各下側貫通孔４１１に隣接するバッフル４２を含む。バッフル４２は空気流の経路にあり、空気流中のエッセンシャルオイル液滴をろ過するか又は遮ることが可能である。上側フィルタ４１ａは、吐出開口３２１と流体接続している１つ又は複数の上側貫通孔４１３を含む。エッセンシャルオイル液滴を含有する空気流が下側フィルタ４１ｂ及び上側フィルタ４１ａを連続的に通ると、混合された空気流中のより大きいエッセンシャルオイル液滴が（例えば、下側貫通孔４１１を通った後でバッフル４２に当たることによって、又は、下側貫通孔４１１を通った後で上側フィルタ４１ａに当たることによって）ろ過され、重力に起因して還流漏斗３３を通ってオイルボトル６０に流れて戻ることができる。より小さいエッセンシャルオイル液滴は、フィルタ霧化機構４０を通り、吐出開口３２１を通して吐出されることができる。上記で説明したように、ガスノズル２３からの空気流は、霧化室３３２内の下側フィルタ４１ｂ外の圧力を上昇させ、空気流を押しやって下側フィルタ４１ｂに通すことができる。理論によって拘束されることは望まないが、下側フィルタ４１ｂの２つの側における圧力差は、下側貫通孔４１１内のエッセンシャルオイル液滴が空気流によって再び霧化されて霧化効率を高めるように、下側貫通孔４１１のそれぞれにおいて空気流を生じると考えられる。その結果、フィルタ霧化機構４０はより大きいエッセンシャルオイル液滴をより良好にろ過し、無駄を更に減らし、霧化装置の効率を高めることができる。加えて、フィルタ霧化機構４０を用いない従来のシステムと比較して、フィルタ霧化機構４０の使用は、内部に蓄積されるエッセンシャルオイル液をより良好に戻し、フィルタ霧化機構４０へのオイルの付着を回避し、したがって、ろ過されたエッセンシャルオイル液滴を良好に再使用し、エッセンシャルオイルの無駄を更に減らすことができると考えられる。さらに、この実施形態において記載されるフィルタ霧化機構４０を有するエッセンシャルオイル霧化装置は、他のろ過機構を有する霧化装置と比較して大幅に低減された雑音レベルを有することができる。例えば、背景雑音が１８ｄＢであるとき、この実施形態において記載される霧化装置から１メートルにおける平均雑音レベルは、約２４．５ｄＢもの低さであるものとすることができる。
【００９１】
さらに、図６〜図８は、上側フィルタ４１ａ及び下側フィルタ４１ｂの双方が円筒形であり、同心円状に配置される実施形態を示している。上側フィルタ４１ａは、吐出開口３２１と流体接続している１つ又は複数の上側貫通孔４１３を含む。上側フィルタ４１ａ及び下側フィルタ４１ｂは概して製造が単純であり、据え付けが容易である。フィルタ霧化機構４０は霧化室３３２に位置付けられ、霧化室３３２内の混合された空気流がフィルタ霧化機構４０に入り、ろ過及び霧化されることを容易にする。理論によって拘束されることは望まないが、混合された空気流が下側貫通孔４１１から下側フィルタ４１ｂに入ると、バッフル４２は、より大きいオイル液滴が上側貫通孔４１３を通して吐出開口３２１に直接的に入ることを防止すると考えられる。例えば、より大きいエッセンシャルオイル液滴は、バッフル４２又は上側フィルタ４１ａの表面に当たり、遮られるか又はろ過され、ろ過効果を高めることができる。加えて、ガスポンプが使用されないとき、フィルタ霧化機構４０内に収集されるエッセンシャルオイルはより大きい液滴を形成し、重力に起因して下側貫通孔４１１を通ってエッセンシャルオイルボトル６０に戻り、再使用されることができる。
【００９２】
幾つかの実施形態では、図８に示されているように、フィルタ霧化機構４０は、上側フィルタ４１ａ及び下側フィルタ４１ｂを接続するように配置される１つ又は複数のねじを含むことができる。そのような実施形態では、上側フィルタ４１ａ及び下側フィルタ４１ｂの双方は、ねじを受け入れる１つ又は複数の受け入れ孔を含むことができる。幾つかの実施形態では、上側フィルタ４１ａの直径は、上側フィルタ４１ａを下側フィルタ４１ｂ内に嵌めてろ過室を形成することができるように、下側フィルタ４１ｂの直径よりも小さいものとすることができ、この場合、ろ過室の唯一の入口又は出口は、下側貫通孔４１１及び上側貫通孔４１３である。
【００９３】
幾つかの実施形態では、上側フィルタは第１のねじ山を含むことができ、下側フィルタは、第１のねじ山に接続する対応する第２のねじ山を含むことができる。そのような実施形態では、上側フィルタ４１ａ及び下側フィルタ４１ｂは、螺合によって簡便に接続することができ、フィルタ霧化機構４０は、上側フィルタ４１ａ及び下側フィルタ４１ｂを接続するねじを省くことができる。ねじ山を有するフィルタは、当該技術分野において既知の方法によって簡便に製造することができる。幾つかの実施形態では、下側フィルタ４１ｂはカップ形状であってもよく、底部板４１２の中央部分は上方又は下方にアーチ状である。幾つかの実施形態では、底部板４１２の中央部分が下方にアーチ状である場合、下側貫通孔４１１を底部板４１２の中央部分に位置付けることができる。
【００９４】
幾つかの実施形態では、図８に示されているように、上側フィルタ４１ａは、上側貫通孔４１３の周りの突起（又は管）を含む。この突起は、上側フィルタ４１ａと吐出開口３２１とを接続するのを助けることができる。
【００９５】
幾つかの実施形態では、封止リングが、下側フィルタ４１ｂとハウジング３０との間に配置され、下側フィルタ４１ｂを囲み、下側フィルタ４１ｂとハウジング３０との間の接続を確実にする。
【００９６】
さらに、図８に示されているように、バッフル４２は、下側フィルタ４１ｂ内の底部板４１２に一体的に形成することができる。これは、バッフルの構造強度を確実にし、製造コストを低下させる。他の実施形態では、バッフル４２は、底部板４１２に着脱可能に取り付けられる別個の部分であるものとすることができる。
【００９７】
幾つかの実施形態では、図８に示されているように、上側貫通孔４１３は上側フィルタ４１ａの中央に位置付けられる。
【００９８】
図６及び図７に示されているような幾つかの実施形態では、下側フィルタ４１ｂの底部板４１２は湾曲しており、底部板４１２の中央部分は上方にアーチ状である。幾つかの実施形態では、下側貫通孔４１１は、下側フィルタ４１ｂの側壁の下側端に位置付けられる。幾つかの実施形態では、下側貫通孔４１１は、下側フィルタ４１ｂの壁の下側端及び底部板４１２によって画定される。底部板４１２は、上方にアーチ状であり、下側フィルタ４１ｂ内に収集されるエッセンシャルオイル液が貫通孔４１１に向かって流れ、エッセンシャルオイルボトル６０内に排出されて戻ることを可能にする。さらに、下側フィルタ４１ｂの底部板４１２が上方にアーチ状の円弧面を有する場合、円弧面は、下側貫通孔４１１のそれぞれから流れる空気流を、フィルタ霧化機構４０の上側貫通孔４１３内に案内することもできる。
【００９９】
本実施形態におけるエッセンシャルオイル還流式霧化装置の他の構造は、上述した実施形態１及び２におけるエッセンシャルオイル還流式霧化装置の対応する構造と同じであるものとすることができ、ここでは詳細を繰り返さない。
【０１００】
上述した実施形態は、本考案の好ましい実施形態に過ぎず、本考案を限定する意図はない。本考案の趣旨及び原理内で行われる任意の変更、均等な置換、改良等は、本考案の範囲に含まれるはずである。
【符号の説明】
【０１０１】
図１〜図５における参照符号は以下のように言及される：
１０  シャーシ
１１  支持フレーム
１１１  放熱チャネル
１２  接続管
１３  封止リング
２１  ガスポンプ
２２  ガス管
２３  ガスノズル
２３１  出口
２４  オイルノズル
２４１  接続スリーブ
２４２  側壁
２４３  オイル管
３０  ハウジング
３１  主ハウジング
３１０  霧化室
３１１  接続開口
３２  外側カバー
３２１  吐出開口
３３  還流漏斗
３３１  出口管
３３２  案内板
３４  ねじスリーブ
４０  フィルタ霧化機構
４１  フィルタハウジング
４１ａ  内側層のフィルタハウジング
４１ｂ  外側層のフィルタハウジング
４１１  貫通孔
４１２  底部板
４２  固定板
４２１  接続リング
４２２  固定リング
６０  エッセンシャルオイルボトル
図６〜図８における参照符号は以下のように言及される：
１０  シャーシ
１１  支持フレーム
１１１ａ  上側放熱チャネル
１１１ｂ  下側放熱チャネル
１２  接続管
１３  封止リング
２１  ガスポンプ
２２  ガス管
２３  ガスノズル
２４  オイルノズル
２４１  接続スリーブ
２４３  オイル管
３０  ハウジング
３１  主ハウジング
３１１  接続開口
３２  外側カバー
３２１  吐出開口
３３  還流漏斗
３３１  出口管
３３２  霧化室
３４  ねじスリーブ
４０  フィルタ霧化機構
４１ａ  上側フィルタ
４１ｂ  下側フィルタ
４１１  下側貫通孔
４１２  底部板
４２  バッフル
４１３  上側貫通孔
６０  エッセンシャルオイルボトル
【図１】
0003223159.tif 000003
【図２】
0003223159.tif 000004
【図３】
0003223159.tif 000005
【図４】
0003223159.tif 000006
【図５】
0003223159.tif 000007
【図６】
0003223159.tif 000008
【図７】
0003223159.tif 000009
【図８】
0003223159.tif 000010